(57)【要約】      （修正有）【課題】灯具全体の体積を縮小させ、開発コストを節約し、良好な照明効果を達成させる車両用灯具モジュールを提供する。【解決手段】反射板１２が設置される裏板１１を主に備え、反射板１２には導光板１３が設置され、且つ導光板１３の側辺には少なくとも１つの側光源が設けられ、また導光板１３には下部拡散板１５が設置され、下部拡散板１５の上方にはプリズムレンズ１６が設置され、プリズムレンズ１６には上部拡散板１７が設置され、上部拡散板１７の上方には光線を集光させる集光板１８が設置される。これらの部材により、従来の車両用灯具モジュールの製造技術の重大な欠点及び高コストを改善させ、異なる車両の車両照明に適合可能なカスタマイズ効果を達成させる。【選択図】図１
0003190418.tif 000002
【実用新案登録請求の範囲】
【請求項１】
反射板が設置される裏板を備え、前記反射板には導光板が設置され、前記導光板の側辺には少なくとも１つの側光源が設けられ、前記導光板上には下部拡散板が設置され、前記下部拡散板の上方にはプリズムレンズが設けられ、前記プリズムレンズには上部拡散板が設置され、前記上部拡散板の上方には光線を集光させる集光板が設置され、これらの部材により灯具モジュールを構成することを特徴とする車両用灯具モジュール。
【請求項２】
前記集光板の底部には微粒構成が設けられ、頂面には集光ユニットが分布されることを特徴とする、請求項１に記載の車両用灯具モジュール。
【請求項３】
前記灯具モジュールは電灯受口を更に備え、前記電灯受口には前記側光源を嵌入させる嵌入用凹部、及び対応する灯具モジュールの各層板を挟装させ定位させる係合空間が設けられることを特徴とする、請求項２に記載の車両用灯具モジュール。
【考案の詳細な説明】
【技術分野】
【０００１】
本考案は、灯具全体の体積を縮小させる車両照明構造であり、導光モジュールの技術を車両照明に運用することで開発コストを節約し、車両照明は良好な照明効果を達成させる車両用灯具モジュールに関する。
【背景技術】
【０００２】
従来の車両用灯具の構成は  特許文献１に示すように、主に先ず電球を電灯受口に螺着させ、前記電灯受口を回転結合方式により結合させて台座の装設孔に固定させ、前記電球を前記台座内部の反射部材に位置させる。前記電球はタングステン電球であるため、灯光は四方に外向きに放射され、前記電球の灯光は前記反射部材の内側の反射面により反射され且つ台座の前端面のレンズにより屈折されて前方に向け投射され、良好な光の形状及び明度を形成させる。
【先行技術文献】
【特許文献】
【０００３】
【特許文献１】台湾特許出願公開第Ｍ４２５７８８号公報
【考案の概要】
【考案が解決しようとする課題】
【０００４】
しかしながら、前述した従来の車両用灯具技術ではタングステン電球を使用するが、タングステン電球は消費電力が高く、耐用年数も短く、発熱し易い等の欠点を有するため、近年では様々な灯具の光源は、低消費電力、長寿命、低発熱量であるＬＥＤがタングステン電球に取って代わろうとしている。
【０００５】
また、タングステン電球かＬＥＤ電灯による車両照明かに係わらず、全て車両のデザインに基きランプケース、反射部材、ランプシェード等のモジュールを設置させる。このため、メーカーやモデル毎に対応させる場合には一組の専用のモジュール組を具備させねばならず、コストが高くなり、業者にとっては改善しなければならない問題であった。
【０００６】
なお、従来の灯具が車両に装設される場合、車両には適度な空間を設置させて灯具を嵌設させねばならないが、灯具は体積が大きいため、嵌設に必要な空間も大きくなる。また、体積が大きい灯具は保管や出庫、運送に不便である。
【０００７】
そこで、本考案者は上記の欠点が改善可能と考え、鋭意検討を重ねた結果、合理的かつ効果的に課題を改善する本考案に係る車両用灯具モジュールの提案に到った。
【０００８】
本考案は、このような従来の問題に鑑みてなされたものである。上記課題解決のため、本考案は、車両用灯具モジュールを提供することを主目的とする。
【課題を解決するための手段】
【０００９】
上述した課題を解決し、目的を達成するために、請求項１の車両用灯具モジュールは、反射板が設置される裏板を主に備え、反射板には導光板が設置され、且つ導光板の側辺には少なくとも１つの側光源が設けられ、また導光板上には下部拡散板が設置され、下部拡散板の上方にはプリズムレンズが設けられ、プリズムレンズには上部拡散板が設置され、上部拡散板の上方には光線を集光させる集光板が設置され、これらの部材により灯具モジュールを構成させることを特徴とする。
【００１０】
上述したように、本考案の車両用灯具モジュールは、従来の車両用灯具モジュールの製造技術上の欠点及び高コストを改善させ、異なる車両の車両照明に適合可能なカスタマイズを達成させる。
【００１１】
請求項２の車両用灯具モジュールは前記集光板の底部に微粒構成が設けられ、端面には集光ユニットが分布されることを特徴とする。
【００１２】
請求項３の車両用灯具モジュールは電灯受口を更に備え、前記電灯受口には側光源を嵌入させる嵌入用凹部、及び対応する灯具モジュールの各層板を挟装させ定位させる係合空間が設けられることを特徴とする。
【考案の効果】
【００１３】
本考案によれば、主に従来の車両用灯具モジュールの製造技術上の欠点及び高コストを改善させる。本考案により導光モジュールの技術を車両照明に運用させてモジュールの開発コストを節約させ、車両照明は良好な照明効果が得られる。
【図面の簡単な説明】
【００１４】
【図１】本考案の第１実施形態による車両用灯具モジュールを説明する傾斜の概略図である。
【図２】本考案の第２実施形態による車両用灯具モジュールを説明する傾斜の概略図である。
【図３】本考案による車両用灯具モジュールの組合せを説明する縦断面図である。
【図４】本考案による車両用灯具モジュールを説明する使用概略図である。
【考案を実施するための形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１６】
（第１実施形態）
以下、図１〜図３を参照しながら、本考案の車両用灯具モジュールを説明する。本考案の車両用灯具モジュール１の外形は車両容置灯具の槽孔に対応させ、また、底部が基板であるアルミ材質の裏板１１、裏板１１の上方に対応させて設置される反射板１２、反射板１２の上方に対応させて設置される導光板１３、導光板１３の側辺の周囲に対応させて設置される少なくとも１つの側光源１４、導光板１３の上方に対応させて設置される下部拡散板１５、下部拡散板１５の上方に対応させて設置されるプリズムレンズ１６、プリズムレンズ１６の上方に対応させて設置される上部拡散板１７、及び上部拡散板１７の上方に対応させて設置される集光板１８を含み、これらの部材により灯具モジュール１が構成される。
【００１７】
なお、図１〜図４に示すように、使用時には、前記灯具モジュール１は車両に設けられる灯具の槽孔のデザインに合わせ適合する外観形状に製造される。ここでは図式では円形や方形を例に図示し、裏板１１、反射板１２、導光板１３、下部拡散板１５、プリズムレンズ１６、上部拡散板１７、集光板１８の順に組成される。
側光源１４は導光板１３の側辺の周囲に対応させて設置され、灯具モジュール１全体の形状に対応させて必要な照射範囲の側光源１４を配設させる。円形の灯具モジュール１では導光板１３の上下の側面には側光源１４がそれぞれ設置され、方形の灯具モジュール１では導光板１３の四方の側面には側光源１４がそれぞれ設置され、或いは必要な側辺に側光源１４が選択的に設置される。
【００１８】
更に前記側光源１４にはＬＥＤテープライトが採用され、前記ＬＥＤテープライトは電灯受口２に対応させて嵌入され、即ち前記灯具モジュール１は電灯受口を更に備え、前記電灯受口２にはＬＥＤテープライトを嵌入させて定位させると共に導光板１３の側辺に対応させる嵌入用凹部２１が設置される。前記電灯受口２は更に対応させて灯具モジュール１の各層板を挟装させ定位させ、電灯受口２には灯具モジュール１を挟着させ固定させる係合空間２２が形成される。
【００１９】
また、前記灯具モジュール１の主な特色は、集光板１８の底部には微粒構成１８１が設けられ、端面には集光ユニット１８２が分布され、微粒構成１８１により光線を屈折させ集光ユニット１８２により光線を集光して照射させ、照明の明度及び照射距離を増加させる点である。
【００２０】
上述の部材構成及び実施の説明から分かるように、本考案と従来の構造とを比較すると、本考案は以下の長所を有する。
１．本考案に係る車両用灯具モジュールは、導光モジュールの技術を車両照明に運用させ、モジュール開発コストを節約させ、車両照明の良好な照明効果を達成させる。
２．本考案に係る車両用灯具モジュールは、上述のように、灯具モジュールには集光板が設置され、集光板の底部の微粒構成及び端面に分布される集光ユニットにより、側光源から導光される光線は微粒構成により屈折され、集光ユニットにより集光されて照射され、車両灯具の照明の明度及び照射距離を増加させる。
【００２１】
上述の実施形態について図面を参照して詳述したが、具体的な構成はこの実施形態に限られるものではなく、本考案の要旨を逸脱しない範囲の設計変更等も含まれる。
【符号の説明】
【００２２】
１      灯具モジュール
１１    裏板
１２    反射板
１３    導光板
１４    側光源
１５    下部拡散板
１６    プリズムレンズ
１７    上部拡散板
１８    集光板
１８１  微粒構成
１８２  集光ユニット
２      電灯受口
２１    嵌入用凹部
２２    係合空間
【図１】
0003190418.tif 000003
【図２】
0003190418.tif 000004
【図３】
0003190418.tif 000005
【図４】
0003190418.tif 000006